(57)【要約】【課題】  多重化およびトランスポート・パケット化装置の同期をとる。【解決手段】  圧縮された多層のビデオ信号のトランスポート層または多重層のような、中間層の信号の同期を発生させる装置は、システムの符号化端末において、システム・クロック２２に応答する計数器２３を含んでおり、計数値は処理装置１３により所定のスケジュールに従ってトランスポート層における信号に詰め込まれる。システムの受信端末において、逆トランスポート処理装置１８は、補助トランスポート・データからのＰＣＲ、および制御信号をシステム・クロック発生器２７に供給する。クロック発生器２７はこれらの信号に応答し、少なくとも逆トランスポート処理装置１８の動作に同期するシステム・クロック信号を発生する。このシステム・クロック信号は、処理要素のタイミングを制御する為に、受像機システム制御装置２６に供給される。【選択図】      図１
2010154556.tif 000002
【特許請求の範囲】
【請求項１】
計数器において、整数Ｎを法としてクロック信号源からのクロック信号を計数するステップと、
ビデオ信号のフレームの発生に応答して、前記計数器から供給される計数値のうちの或る計数値をプレゼンテーション・タイム・リファレンス（ＰＴＲ）として捕捉するステップと、
前記ビデオ信号を圧縮し、前記ＰＴＲをこの圧縮済みビデオ信号に含ませて、圧縮済みビデオ・データをフォーマット化するステップと、
トランスポート・プロセッサ内で、前記ＰＴＲを含む前記フォーマット化した圧縮済みビデオ・データを受け取り、この圧縮済みビデオ・データを、トランスポート・ヘッダに連結された前記圧縮済みビデオ・データのペイロードと前記ＰＴＲのペイロードを含むトランスポート・パケットに分割するステップと、
トランスポート・パケットのタイミングに応答して、プログラム・クロック・リファレンス（ＰＣＲ）として前記計数器から供給される更なる計数値を周期的に捕捉するステップであって、当該ＰＣＲが、当該トランスポート・パケットのうちの或るトランスポート・パケットのペイロードに前記圧縮済みビデオ・データを除いた補助データ・フィールドにおける補助データとして含められる、前記ステップと、
前記補助データ・フィールドの可変長のバイト数についての情報を搬送するために、長さインジケータを前記トランスポート・パケットの８ビットの長さフィールドに組み込むステップと、
前記トランスポート・パケットを伝送用に調整するステップと、
を含む方法。
【発明の詳細な説明】
【技術分野】
【０００１】
本発明は、信号復元（ｄｅｃｏｍｐｒｅｓｓｉｏｎ：圧縮解除）装置においてクロック信号を発生する方法および装置に関し、このクロック信号の周波数は符号化装置におけるクロック信号に実質的に固定されている。
【背景技術】
【０００２】
圧縮されたビデオ信号の発生および伝送システムは、幾つかの同期（非同期と呼ぶ方が正しいかも知れない）レベルで動作する。例えば、実際の圧縮装置は、少なくとも一部は、ソース・ビデオ信号の垂直フレーム周波数に同期し、また色副搬送波にも同期する。ビデオ信号は一度圧縮されて特定の信号プロトコル（例えばＭＰＥＧ１）の形式にされると、更に処理されて伝送用のトランスポート・パケットにされる。このトランスポート・パケットは、他のビデオ源またはデータ源と時分割多重される。パケット化と多重化は互いに同期するように行われることもあり、そうでないこともあり、圧縮動作と同期することもあり、しないこともある。トランスポート・パケット（多重されているかまたは多重されていない）はその後、データの伝送のためにモデムに供給される。モデムは先に述べたシステムと同期して動作する場合もあり、そうでない場合もある。
【０００３】
完全に多重化されて伝送された圧縮信号の受信機では、システムの符号化端末において種々のサブシステムがそれに対応する逆機能要素と同期して動作することが通常必要である。この場合の同期的動作とは、一般に、それぞれのサブシステムがそれと対応するサブシステムの周波数に極めて接近して動作することを意味する。例えば、復元器が発生するビデオ信号は、圧縮器においてビデオ信号源から発生されるものと同じフレーム周波数であり、且つ関連する音声信号と同期していなければならない。このシステムでビデオ信号と音声信号の復元部を同期させるためには、エンコーダにおいて信号のそれぞれのセグメントの発生／再生の相対的時間を示す、プレゼンテーション・タイム・スタンプ（ｐｒｓｅｎｔａｔｉｏｎ  ｔｉｍｅ  ｓｔａｍｐ）を圧縮されたビデオ／音声信号の中に挿入する。このようなプレゼンテーション・タイム・リファレンス（ｐｒｅｓｅｎｔａｔｉｏｎ  ｔｉｍｅ  ｒｅｆｅｒｅｎｃｅ：ＰＴＲ）は、同期をとる目的で且つ適正なシーケンスおよび連続性を得る目的で、関連する音声信号とビデオ信号のタイミングを比較するために使用される。
【０００４】
受信機のモデムは勿論、送信機のモデムと同じ周波数で動作しなければならない。受信機のモデムは、典型的には、同期するクロック信号を発生するために、送信された搬送波の周波数に応答する、位相固定ループを含んでいる。
【先行技術文献】
【特許文献】
【０００５】
【特許文献１】米国特許第４，８２７，３３９号明細書
【発明の概要】
【発明が解決しようとする課題】
【０００６】
多重化およびトランスポート・パケット化装置の同期は２つの理由でやや複雑になる傾向がある。第１の理由は、多重化されたデータは散発的に到着する。第２に、モデムと復元器との間にレート・バッファ（ｒａｔｅ  ｂｕｆｆｅｒ）が通常使用されるので、レート・バッファは製造価格を最小限度にするためにできるだけ小さくすべきであるという制約があり、レート・バッファがオーバフローもアンダフローもしないようにしなければならない。
【課題を解決するための手段】
【０００７】
本発明は、多層の圧縮されたビデオ信号のトランスポート層または多重層のような中間層の信号の同期を発生させる装置である。システムの符号化端末において、モジュロＫの計数器がシステム・クロックに応答してクロックされ、計数値は、予め定められるスケジュール（ｓｃｈｅｄｕｌｅ）に従って、トランスポート層における信号の中に詰め込まれる。システムの受信端末において、同様な計数器が、制御された受像機クロック信号に応答し、この計数器の計数値は、トランスポート層に詰め込まれた計数値の到着時にサンプリングされる。受像機用計数器の連続的にサンプリングされた計数値の差は、トランスポート層に詰め込まれた、対応する連続的計数値の差と比較されて、受像機クロック信号を制御する信号を発生する。
【図面の簡単な説明】
【０００８】
【図１】本発明を具体化するクロック再生装置を組み入れている、圧縮されたビデオ信号の符号化／復号化システムのブロック図である。
【図２】異なるデータ源からの多重化されたデータの発生を表わすのに役に立つ、信号多重化装置のブロック図である。
【図３】伝送される圧縮されたビデオ・データと共に使用するクロック再生装置の別の実施例のブロック図である。
【図４】多重化された信号の中に含まれているタイミング符号を増大するシステムを含んでいる、信号多重化装置のブロック図である。
【図５】伝送される圧縮されたビデオ・データと共に使用するクロック再生装置の別の実施例のブロック図である。
【図６】トランスポート・ブロックおよび補助信号トランスポート・ブロックを示す図である。
【図７】トランスポート・ブロックおよび補助信号トランスポート・ブロックを示す図である。
【図８】図２のトランスポート処置装置の動作のフロー・チャートである。
【発明を実施するための形態】
【０００９】
図１は本発明が実施される典型的なシステムを示し、このシステムは、圧縮されたディジタル・ビデオ信号伝送装置である。このシステムでは、ビデオ信号源１０からのビデオ信号は圧縮器１１に供給される。圧縮器１１には、離散的余弦変換を利用する、動き補償された予測エンコーダが含まれる。圧縮器１１からの圧縮されたビデオ信号はフォーマット形成装置１２に結合される。フォーマット形成装置１２は、国際標準化機構（ＩＯＳ）により開発された標準である、ＭＰＥＧのような信号プロトコルに従って、圧縮されたデータおよびその他の補助的なデータを配列する。標準化された信号はトランスポート処理装置１３に供給される。処理装置１３はこの信号を幾つかのデータのパケットに分割し、或る別のデータを加えて、伝送の目的のために雑音に対する排除能力を与える。トランスポート・パケットは、通常は一定しないレートで生じ、レート・バッファ１４に供給され、バッファ１４は、比較的狭い帯域幅の伝送チャネルを能率的に使用する助けとなる、比較的一定のレートで出力データを供給する。バッファされたデータはモデム１５に結合され、モデム１５は信号の伝送を行う。
【００１０】
システム・クロック２２は、少なくともトランスポート処理装置も含めて、多くの装置を動作させるためにクロック信号を供給する。このクロックは、例えば２７ＭＨｚのような一定の周波数で動作する。しかしながら、ここに示す如く、システム・クロックはタイミング情報を発生するのに使用される。システム・クロックは計数器２３のクロック入力に結合される。計数器２３は、例えば、モジュロ２３０で計数するように構成される。計数器２３から出力される計数値はラッチ２４および２５に供給される。ラッチ２４は、それぞれのフレーム期間が生じたときに計数値を保持するようビデオ信号源により条件づけられる。これらの計数値はプレゼンテーション・タイム・スタンプ即ちＰＴＲと呼ばれ、フォーマット形成装置１２により、圧縮されたビデオ信号の流れの中に含められ、関連する音声とビデオ情報のリップ（ｌｉｐ）同期をとるために受像機で使用される。ラッチ２５は、予め定められるスケジュールに従って計数値を保持するようトランスポート処理装置１３（またはシステム制御装置２１）により条件づけられる。これらの計数値はプログラム・クロック・リファレンス（ｐｒｏｇｒａｍ  ｃｌｏｃｋ  ｒｅｆｅｒｅｎｃｅ、以下ＰＣＲと略す）と呼ばれ、補助データとしてそれぞれの補助トランスポート・パケットの中に詰め込まれる。
【００１１】
システム制御装置２１は、種々の処理要素を調整するようプログラムされる、可変状態マシンである。各処理要素間で正しい相互通信が行われている限り、制御装置２１と圧縮器１１とトランスポート処理装置１３は共通のクロック装置を介して同期して動作する場合もあり、そうでない場合もある。
【００１２】
図１の要素１６〜２６は送信システムの受信端末を構成し、モデム１６はモデム１５の逆機能を行い、レート・バッファ１７は、事実上、レート・バッファ１４の逆機能を行う。レート・バッファ１７からのデータは逆トランスポート処理装置１８に供給され、この逆トランスポート処理装置１８は、システムのプロトコルに従って、圧縮されたビデオ信号を復元装置１９に供給する。復元装置１９は、圧縮されたビデオ信号に応答し、ディスプレイ２０に示すために、或いは適当な装置に貯えるために、圧縮されないビデオ信号を発生する。
【００１３】
また、逆トランスポート処理装置１８は、補助トランスポート・データからのＰＣＲ、および制御信号をシステム・クロック発生器２７に供給する。クロック発生器２７はこれらの信号に応答し、少なくとも逆トランスポート処理装置１８の動作に同期するシステム・クロック信号を発生する。このシステム・クロック信号は、処理要素のタイミングを制御するために、受像機システム制御装置２６に供給される。
【００１４】
図２は、例えば送信モデム１５の中に含められる装置を示す。モデムは複数のデータ源からデータを受け取り、そのデータは全て、共通の伝送路で伝送される。これは、種々の信号源からの種々の信号の時分割多重により行われる。また、多重化は層状に行ってもよい。例えば、ビデオ番組Ｐｉは別々のスタジオで発生され、第１のマルチプレクサ５５に結合される。これらのプログラムは、すでに知られている技術に従って時分割多重され、ソース信号Ｓ１として供給される。
【００１５】
信号Ｓ１、および他のソースからの他のソース信号Ｓｉは第２層のマルチプレクサ５６に供給され、ここで信号Ｓｉは既に知られている技術および予め定められるスケジュールに従って時分割多重される。最後に、それぞれの番組それ自体の中で、更に別の形の多重化もある。このような多重化は、番組素材の中に挿入されるコマーシャルの形をとるか、或いは貯えられた素材としてライブ（ｌｉｖｅ）制作素材の各セグメントの間に挿入される。このような場合、コマーシャルまたは貯えられた素材はそれぞれのＰＴＲおよびＰＣＲで符号化されているものであるとする。この場合、貯えられた素材のＰＴＲおよびＰＣＲは、ライブ素材のリアルタイムのＰＴＲおよびＰＣＲとは関係がない。ＰＴＲについては、新しい信号に再び初期設定することを復元装置に指令するパラメータがビデオ信号の中に含まれるので、問題を起こさない。逆に、貯えられたＰＣＲとリアルタイムのＰＣＲに相関関係がなければ、同期が失われるために、受信システムのレート・バッファ／逆トランスポート処理装置要素を完全に混乱させる。
【００１６】
図２で、トランスポート処理装置５３は、別々のマルチプレクサ５５および５６と動作が類似した１つの多重化装置を含んでいるものとする。
【００１７】
多重化されたシステムの内部には更に別の問題が存在する。複数のデータ源から同時にデータが到着する場合、それぞれの多重場所でデータを失わないようにするために、マルチプレクサの内部である程度の信号緩衝を行う必要がある。これらの緩衝装置は遅延Ｔ±δｔを生じる。δｔはジッタ（ｊｉｔｔｅｒ）成分を表わす。１つの番組が通過するマルチプレクサの数は１００個（問題を強調するために数は誇張されている）であると仮定し、各多重化毎に１秒±１マイクロ秒の遅延が加わるとする。端から端までの遅延は１００秒±１００マイクロ秒である。１００秒の遅延は復元装置にとってはささいなことである。何故ならば、圧縮されたビデオ信号、従って、ＰＴＲも同じ遅延を受けているからである。±１００マイクロ秒のジッタは調節しなければならない。さもないと、デコーダのバッファはオーバフローするかアンダフローすることがある。
【００１８】
図３は受信機クロック・再生器の第１の実施例を示す。この実施例では、トランスポート処理装置は、受信機レート・バッファで受ける可変性遅延を除去するために、信号路内でレート・バッファ１７の前方に置くこともできる。受信機モデムからのデータは、逆トランスポート処理装置３２および補助パケット検出器３１に結合される。逆トランスポート処理装置３２は、それぞれのトランスポート・パケット・ペイロード（ｐａｙｌｏａｄ）からトランスポート・ヘッダ・データを分離する。処理装置３２は、トランスポート・ヘッダ・データに応答し、ビデオ信号ペイロード（ここではサービス・データ１として示す）を、例えば、復元装置（図示せず）に供給し、補助データ（サービス・データ２として示す）を適当な補助データ処理装置（図示せず）に供給する。補助データ内に在るＰＣＲはルートを通って、メモリ３４に貯えられる。
【００１９】
補助パケット検出器３１は、ＰＣＲを含んでいる補助トランスポート・パケットを指定する符号ワードを認識するように構成された、整合のとれたフィルタであり、そのようなデータを含んでいるトランスポート・パケットが生じたときに制御パルスを発生する。制御パルスは、局部計数器３６が現在示している計数値をラッチ３５の中に貯えるのに使用される。局部計数器３６は、例えば、電圧制御発振器３７から発生されるパルスを計数するように構成されている。計数器３６は、エンコーダ内のそれと対応する計数器（計数器２３）と同じ数のモジュロで計数するように構成されている。
【００２０】
電圧制御発振器３７は、クロック制御装置３９から発生される低域濾波された誤差信号により制御される。誤差信号は以下のようにして発生される。時刻ｎで到着するＰＣＲをＰＣＲｎとし、それと同時にラッチ３５に保持される計数値をＬｎとする。クロック制御装置はＰＣＲおよびＬの連続的な値を読み取り、差に比例する誤差信号Ｅを発生する。
Ｅ→｜ＰＣＲｎ−ＰＣＲｎ−１｜−｜Ｌｎ−Ｌｎ−１｜
誤差信号Ｅは、これらの差を等しくする傾向にある周波数に電圧制御発振器３７を調整するのに利用される。クロック制御装置３９から発生される誤差信号は、パルス幅変調された信号の形式をとり、これは、アナログ構成要素で低域フィルタを実現することにより、アナログ誤差信号にすることもできる。
【００２１】
このシステムに関する制約は、システムの２つの端末における計数器が同じ周波数或いはその倍数を計数することである。このため、電圧制御発振器の公称周波数はエンコーダのシステム・クロックの周波数にかなり接近していることが要求される。
【００２２】
上述の方法では、かなり早い同期が得られるが、長期の誤差を生じることがある。長期の誤差ＬＴＥは差に比例する。
ＬＴＥ→｜Ｌｎ−Ｌ０｜−｜ＰＣＲｎ−ＰＣＲ０｜
ここで、ＰＣＲ０およびＬ０は、例えば、最初に生じるＰＣＲおよびそれと対応する、受信機計数器の保持された値である。通常、誤差信号ＥおよびＬＴＥは離散的ステップで変化する。従って、ひとたびシステムが“同期”すると、誤差信号はゼロ点に関して１単位ディザーする。選択された同期の方法では、１単位のディザーが誤差信号Ｅに生じるまで誤差信号Ｅを使用して電圧制御発振器の制御を開始し、それから、長期誤差信号ＬＴＥの使用に切り替えて、電圧制御発振器を制御する。
【００２３】
多重処理で生じた遅延Ｔ±δｔを調節するために、エンコーダにおけるトランスポート処理装置は、可変性遅延に関する情報を含んでいる補助トランスポート・パケット内に補助フィールドを作る。この可変性遅延情報をそれぞれの多重位置で変更する準備がなされる。図６と図７を参照されたい。図６は、Ａｄｖａｎｃｅｄ  Ｔｅｌｅｖｉｓｉｏｎ  Ｒｅｓｅａｒｃｈ  Ｃｏｎｓｏｒｔｉｕｍが開発した高品位テレビジョン・システムで使用されるものと同様な型式のトランスポート・パケットを示す。このトランスポート・パケットはプレフィクス（ｐｒｅｆｉｘ）を含んでおり、この中には、とりわけ、パケットに入っているペイロード（ｐａｙｌｏａｄ）がどのサービスに関連しているかを示す一般的な識別符号が含まれている。フィールドＣＣ（ｃｏｎｔｉｎｕｉｔｙ  ｃｈｅｃｋ）は、誤り検査の目的で入れられる、連続性検査値である。フィールドＨＤ（ｈｅａｄｅｒ）は、ペイロードを明確に定める特定のサービス・ヘッダである。例えば、テレビの番組を供給する為にその特定のサービスが指定されると、そのサービスの型式のトランスポート・パケットのそれぞれのペイロードには、音声データ、ビデオ・データ或いは関連する補助データが含まれる。従って、フィールドＨＤは、特定のパケットに対する特定のペイロードの型式を示す。
【００２４】
図７は補助データを含んでいるトランスポート・パケットを示す。補助トランスポート・パケットのペイロードには、それぞれのグループに含まれているデータの量および現在のシステムの要件に依り、１つまたはそれ以上の補助グループが含まれる。図７に示すトランスポート・パケットには、プログラム・クロック・リファレンスに関連するデータを含んでいる２つの補助グループＡＵＸ１およびＡＵＸ２がある。補助グループＡＵＸ１は可変性遅延に関連するデータを含んでおり、補助グループＡＵＸ２はＰＣＲ自体を含んでいる。それぞれのグループは、補助グループ・プレフィクス（ｐｒｅｆｉｘ）および補助データ・ブロックを含んでいる。プレフィクスには、フィールドＭＦ、ＣＦＦ、ＡＦＩＤおよびＡＦＳが含まれている。フィールドＭＦは１ビットのフィールドであり、そのパケット内のデータが変更可能であるかどうか（変更可能であれば１、可能でなければ０）を示す。ＣＦＦは１ビットのフィールドであり、補助データがこのグループのために定められているかどうかを示す。ＡＦＩＤは６ビットのフィールドであり、そのグループに入れられている補助データの型式（例えば、タイム・コード、スクランブル・キー、コピーライトなど）を識別する。ＡＦＳは、そのグループに入れられている補助データのバイトの数を定める８ビットのフィールドである。
【００２５】
グループＡＵＸ１は変更可能であるとして示され、グループＡＵＸ２は変更可能でないとして示されている。ＡＵＸ２データは、ＰＣＲデータ即ちプログラム・クロック・リファレンスであることが示されている。ＡＵＸ１データは、ディファレンシャル・プログラム・クロック・リファレンス（ｄｉｆｆｅｒｅｎｔｉａｌ  ｐｒｏｇｒａｍ  ｃｌｏｃｋ  ｒｅｆｅｒｅｎｃｅ、以下ＤＰＣＲと略す）として示されている。ＰＣＲデータは、エンコーダ内でトランスポート処理装置を制御するスケジューラの制御の下で捕捉される。ＤＰＣＲデータは図４に関して以下に述べるようにして捕捉される。
【００２６】
図４の装置は、図２に示すマルチプレクサ回路のうちの１つの一部の例示的装置である。それぞれの入力母線に関連するバッファ記憶装置６７はＦＩＦＯ（先入れ先出し）である。プログラム・データが到着すると、データはそこに貯えられ、マルチプレクサは別の入力母線を現在アクセスしている。その後、マルチプレクサのスケジュールに従って、プログラム・データはバッファ記憶装置６７から読み出される。
【００２７】
プログラム・データのそれぞれのトランスポート・パケットは、ＰＣＲおよびＤＰＣＲデータの入っている補助グループを含んでいる。ＰＣＲデータの値は、補助タイミング情報の入っているトランスポート・パケットのタイミングに関連して決定される。このＰＣＲデータは、マルチプレクサにより出力されるとき、多重化処理における信号に競合に因り受ける遅延のために、誤っているかも知れない。バッファ記憶装置を通過するのに要する遅延時間Ｔ±δｔを使用して、ＤＰＣＲデータを変更し、そのあとで、このような誤りを補正する。補助パケット検出器６１は、ＤＰＣＲデータの入っているトランスポート・パケットの発生を検出するように構成され、プログラム・データ入力母線に結合される。この検出器の機能は、計数器６２をリセットし、計数器６２が局部クロック６０のパルスを計数できるようにすることである。局部クロック６０は水晶発振器であり、エンコーダのシステム・クロック周波数に非常に接近した周波数を有するか、または図３または図５の装置の動作に従ってエンコーダのクロックに周波数が固定される。もう１つの補助パケット検出器６３は、バッファ記憶装置６７の出力母線に結合され、ＤＰＣＲデータの入っている補助パケットがバッファから現れると、計数器６２から出力される現在の計数値をラッチ６８に貯える。このとき、計数器６２の出力は特定のパケットのバッファを通る通過時間の計数値を、クロック周波数のサイクルの単位で示す。もし複数の補助パケットがごく接近して起こりそうになり、１つ以上がバッファ６７を同時に通過するかも知れないようであれば、発生する各パケットを検出しこれに応答するよう各補助パケット検出器を構成しなければならない。
【００２８】
また補助パケット検出器６１は制御信号を発生し、制御信号は、補助パケット内に入っているＤＰＣＲ値を貯えるようにラッチ６４を条件づけるために供給される。このＤＰＣＲ値は加算器６５の１つの入力ポートに供給される。ラッチ６８に貯えられた局部計数値は加算器６５の第２の入力ポートに供給される。加算器６５は現在の補助パケットからのＤＰＣＲデータを局部計数値と合計して、最新のＤＰＣＲ値ＤＰＣＲ′を発生する。バッファ６７からのプログラム・データおよび加算器６５の出力は、２対１のマルチプレクサ６６のそれぞれの入力ポートに結合される。マルチプレクサ６６は、通常はプログラム・データを通過させるよう補助パケット検出器６３により条件づけられる。しかしながら、プログラム・データの中に入っているＤＰＣＲデータがバッファから現れると、マルチプレクサ６６は、加算器からの最新のデータＤＰＣＲ′を通過させるよう条件づけられ、それから再び切り替えられてバッファ６７からのデータを通過させる。
【００２９】
マルチプレクサ６６が加算器からのデータを通過させるように条件づけられると、加算器からの出力信号は、補助パケットに入っているＤＰＣＲデータと、ＤＰＣＲデータがバッファから現れた場合、計数器６２における計数値とを加えた和に一致する。従って、マルチプレクサ６６によりＤＰＣＲデータの代わりに使用されるデータは、バッファ６７においてその通過時間を補正された前のＤＰＣＲデータである。補助パケット検出器は、補助グループの適当な変更フラグＭＦに従ってプログラム・データだけを変更するようプログラムされることが望ましい。
【００３０】
図２に戻って述べると、トランスポート処理装置５３はＤＰＣＲ補助グループを設定し、通常は、新しいプログラムに対応するＤＰＣＲデータに対しゼロ値を挿入する。しかしながら、ディジタル蓄積メディア５１からの蓄積されたデータはライブ・データのセグメント間に挿入され、且つこの蓄積データはＰＣＲおよびＤＰＣＲ符号で予め符号化されることを思い起こされたい。トランスポート処理装置５３は、蓄積データをライブ・データのセグメント間に挿入しようとする時に、蓄積データのＰＣＲ符号にアクセスし、このＰＣＲ値を、計数器２３および／またはラッチ２５が現在示している計数値から引く。それからトランスポート処理装置５３は、この差を蓄積されたデータの補助パケット内のＤＰＣＲ値に加える。ライブ・データ間に挿入された蓄積データにおけるこの新しいＤＰＣＲ値は、現在の時間を示す符号を含んでいる。この処理は図８のフローチャートを示されており、自明である。
【００３１】
受信機におけるＤＰＣＲデータの利用は図５に示されている。図５で、図３の装置と同じ番号で表わされている装置は同様なものであり且つ同様な機能を果たすが、処理装置３２の機能が変更されている。この変更では加算器４５が、関連する補助グループに到着する、対応しているＰＣＲとＤＰＣＲの値を合計するように構成されている。加算器４５から供給される合計値は、例えば、多重化において受ける通過遅延により増大される最初のＰＣＲ値に一致する。合計値はメモリ４６に入れられ、ここで、システム・クロックの同期のために、補正されたＰＣＲ値としてクロック制御装置３９に利用される。
【００３２】
その他の実施例を以下の通り例示する。
（１）  ビデオ信号の源（１０）と、
クロック信号の源（２２）と、
整数Ｎを法として前記クロック信号を計数する計数器（２３）と、
前記ビデオ信号のフレームの発生に応答して、前記計数器から供給される計数値のうちの或る計数値をＰＴＲとして捕捉する手段（２４）と、
前記ビデオ信号を圧縮し、前記ＰＴＲをこの圧縮済みビデオ信号に含ませて、圧縮済みビデオ・データをフォーマット化する圧縮／フォーマット化手段（１１、１２）と、
前記圧縮／フォーマット化手段から前記ＰＴＲを含む前記フォーマット化した圧縮済みビデオ・データを受け取るように結合されており、この圧縮済みビデオ・データを、トランスポート・ヘッダに連結された前記圧縮済みビデオ・データのペイロードと前記ＰＴＲのペイロードを含むトランスポート・パケットに分割するトランスポート・プロセッサ（１３）と、
トランスポート・パケットのタイミングに応答して、前記計数器から供給される更なる計数値を、前記圧縮済みビデオ・データを除いた補助データ（ＡＵＸ２）として前記トランスポート・パケットのうちの或るトランスポート・パケットのペイロードに含ませるＰＣＲとして、周期的に捕捉する手段（１３、２５）と、
前記トランスポート・パケットを伝送用に調整する手段（１４、１５）と、
を備えるビデオ信号圧縮装置。
（２）  前記トランスポート・プロセッサ（１３）が、圧縮済みビデオ・データのトランスポート・パケットと前記ＰＣＲを含む補助トランスポート・パケットとを形成し、また、前記トランスポート・プロセッサ（１３）が、前記補助トランスポート・パケットの間に前記圧縮済みビデオ・データのトランスポート・パケットを挿入する手段を含んでいる、（１）記載のビデオ信号圧縮装置。
（３）  符号化システム内に設けられ整数Ｎを法として符号化システム・クロックのパルスを計数する計数器（２３）から周期的に得られる第１の計数値（ＰＣＲ）と、圧縮済みビデオ信号および／または圧縮済みデータ信号とを含むトランスポート・パケットを処理する圧縮済み信号受信システムの少なくとも一部を同期させる同期装置であって、
前記トランスポート・パケットの源（１７）と、
第１の制御信号に応答する被制御発振器（３７）と、前記符号化システム内の前記計数器（２３）と同じく、Ｎを法として受信機システム・クロック信号のパルスを計数する受信機用計数器（３６）と、前記符号化システム・クロックの周波数と前記受信機用計数器の出力の周波数との差を表す誤差信号（Ｅ）を生成する制御器（３９）とを含み、前記受信機システム・クロック信号を供給する固定ループと、
前記第１の計数値（ＰＣＲ）を含むトランスポート・パケットの各出現に応答して、第２の制御信号を供給する手段（３１）と、を有し、
更に、前記同期装置は、前記受信機用計数器（３６）を前記符号化システム内の計数器（２３）と同期させるために、
前記受信した第１の計数値（ＰＣＲ）を記憶する手段（３４）と、
前記第２の制御信号に応答して、前記受信機用計数器（３６）から出力される第２の計数値（ＲＣＶ）を保持する手段（３５）と、を有し、
前記制御器（３９）が、現在受信している第１の計数値（ＰＣＲｎ）とその前に受信した第１の計数値（ＰＣＲｎ−１）との差と、現在の第２の計数値（ＲＣＶｎ）とその前の第２の計数値（ＲＣＶｎ−１）との差とから前記誤差信号（Ｅ）を形成するように構成された、前記同期装置。
（４）  前記誤差信号（Ｅ）は、
｜ＰＣＲｎ−ＰＣＲｎ−１｜−｜ＲＣＶｎ−ＲＣＶｎ−１｜
に比例して計算され、ここで、ＰＣＲｎとＰＣＲｎ−１は、それぞれ、前記現在受信している第１の計数値と前記その前に受信した第１の計数値であり、ＲＣＶｎとＲＣＶｎ−１は、それぞれ、前記現在の第２の計数値と前記その前の第２の計数値とである、（３）記載の同期装置。
（５）  前記連続する計数値の各差により形成される誤差信号（Ｅ）から、それらの各差に対応する、現在の各計数値（ＰＣＲｎ、ＲＣＶｎ）とシステム始動時の最初に生じる各計数値（ＰＣＲ０、ＲＣＶ０）との各差、｜ＰＣＲｎ−ＰＣＲ０｜−｜ＲＣＶｎ−ＲＣＶ０｜に比例して計算される誤差信号（ＬＴＥ）に切り替える手段を含む、請求項３或いは（４）記載の同期装置。
（６）  計数器において、整数Ｎを法としてクロック信号源（２２）からのクロック信号を計数する段階と、
ビデオ信号のフレームの発生に応答して、前記計数器から供給される計数値のうちの或る計数値をＰＴＲとして捕捉する（２４）段階と、
前記ビデオ信号を圧縮（１１）し、前記ＰＴＲをこの圧縮済みビデオ信号に含ませて、圧縮済みビデオ・データをフォーマット化する（１２）段階と、
トランスポート・プロセッサ（１３）内で、前記ＰＴＲを含む前記フォーマット化した圧縮済みビデオ・データを受け取り、この圧縮済みビデオ・データを、トランスポート・ヘッダに連結された前記圧縮済みビデオ・データのペイロードと前記ＰＴＲのペイロードを含むトランスポート・パケットに分割する段階と、
トランスポート・パケットのタイミングに応答して、前記計数器から供給される更なる計数値を、前記圧縮済みビデオ・データを除いた補助データ（ＡＵＸ２）として前記トランスポート・パケットのうちの或るトランスポート・パケットのペイロードに含ませるＰＣＲとして、周期的に捕捉する（１３、２５）段階と、
前記トランスポート・パケットを伝送用に調整する（１４、１５）段階と、
を含む、ビデオ信号圧縮方法。
【符号の説明】
【００３３】
１０    ビデオ信号源
１１    圧縮装置
１２    フォーマット形成装置
１３    トランスポート処理装置
１４    レート・バッファ
１５    モデム
１６    モデム
１７    レート・バッファ
１８    逆トランスポート処理装置
１９    復元装置
２０    ディスプレイ（表示装置）
２１    システム制御装置
２２    システム・クロック
２３    計数器
２６    システム制御装置
２７    システム・クロック
３１    補助パケット検出器；整合フィルタ
３２    逆トランスポート処理装置
３３    トランスポート（ＴＰ）制御装置
３４    メモリ
３６    局部計数器
３７    電圧制御発振器
３８    低減フィルタ
３９    クロック制御装置
４５    加算器
４６    メモリ
５０    ビデオ・エンコーダ
５１    ディジタル蓄積メディア
５２    クロックＰＣＲ発生器
５３    トランスポート処置装置
５４    ディジタル読取り制御装置
５５    マルチプレクサ
５６    マルチプレクサ
６０    局部クロック
６１    補助パケット検出器
６２    計数器
６３    補助パケット検出器
６６    マルチプレクサ
６７    バッファ
【図１】
2010154556.tif 000003
【図２】
2010154556.tif 000004
【図３】
2010154556.tif 000005
【図４】
2010154556.tif 000006
【図５】
2010154556.tif 000007
【図６】
2010154556.tif 000008
【図７】
2010154556.tif 000009
【図８】
2010154556.tif 000010
【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
信号を受信して処理する受信機であって、
前記信号を受信する手段であって、当該受信した信号がトランスポート・パケットを含み、そして、当該トランスポート・パケットが、そのトランスポート・パケット中に補助データ・フィールドが規定されているかどうかを示す制御データを含む制御フィールドを含み、そして、前記トランスポート・パケットが前記補助データ・フィールドをさらに含み、その補助データ・フィールドが、可変長であって、当該補助データ・フィールド中にタイム・スタンプを表すプログラム・クロック・リファレンスを含むことが可能であり、そして、前記トランスポート・パケットが長さフィールドをさらに含み、その長さフィールドが前記補助データ・フィールドの前記可変長についてのバイト数の情報を搬送する長さインジケータを含み、
前記トランスポート・パケットを処理して、前記プログラム・クロック・リファレンスに基づいてデコーダのタイミングを得る手段と、
を備える、前記受信機。